(57)【特許請求の範囲】
【請求項１】
無線セルラー電気通信ネットワークにおいて、半二重端末の特性が基地局のセルのアイドル期間に適合しているか否かを判断する方法であって、前記半二重端末は、前記半二重端末が位置する前記基地局の前記セルにおいて前記基地局により転送された信号を受信し、前記セルの前記アイドル期間は、前記半二重端末が前記基地局によってハンドリングされるとき、前記半二重端末が信号の転送及び受信を行わない時間期間であり、
該方法は、前記半二重端末によって実行されるステップであって、
前記基地局によって転送された信号を受信するステップと、
前記受信された信号が所定の値よりも大きい場合に、前記基地局へ信号を転送するステップと、
前記基地局が前記半二重端末をハンドリングすることの受理を表す信号が少なくとも１つの時間期間内に一切受信されない場合、又は、前記基地局が前記半二重端末をハンドリングすることの拒否を表す信号が受信された場合に、前記セルにおける前記半二重端末の前記特性が前記アイドル期間に適合していないと判断するステップと、
を含み、
前記無線電気通信ネットワークは、半二重周波数分割複信方式を使用し、且つ、前記基地局によってハンドリングされる半二重端末のみが、前記基地局の前記セルの前記アイドル期間中に信号の転送及び受信を行わないか、又は、前記基地局によってハンドリングされる前記半二重端末及び前記基地局が、前記アイドル期間中に信号の転送及び受信を行わず、
前記半二重端末の前記特性は、前記基地局による前記信号の転送と、前記半二重端末による応答において転送された前記信号の受信との間の遅延であり、
前記半二重端末は複数の基地局から信号を受信し、前記無線セルラー電気通信ネットワークの前記セルは同期されており、
該方法は、
前記半二重端末による前記基地局の各信号の受信時刻に従って前記基地局をランク付けするステップと、
前記基地局のうちの１つを選択するステップと、
前記選択された基地局へ信号を転送するステップと、
前記基地局が前記半二重端末をハンドリングすることの受理を表す信号が少なくとも１つの時間期間内に一切受信されない場合、又は、前記基地局が前記半二重端末をハンドリングすることの拒否を表す信号が受信された場合に、前記セルにおける前記端末の前記特性が前記アイドル期間に適合していないと判断するステップと、
前記選択された基地局が前記半二重端末をハンドリングすることの受理を表す信号が少なくとも１つの時間期間内に一切受信されない場合、又は、前記選択された基地局が前記半二重端末をハンドリングすることの拒否を表す信号が受信された場合に、前記セルにおける前記端末の前記特性が、前記セルの前記アイドル期間の継続時間と同じ継続時間又はそれよりも小さい継続時間及び前記選択された基地局よりも低いランクを有する他の各セルの前記アイドル期間に適合していないと判断するステップと、
をさらに含む
ことを特徴とする、方法。
【請求項２】
前記セルにおける前記半二重端末の前記特性が前記アイドル期間に適合していない場合に、
該方法は、
前記基地局へ別の信号を転送するステップと、
前記基地局が前記半二重端末をハンドリングすることの受理を表す信号が別の時間期間内に一切受信されない場合、又は、前記基地局が前記半二重端末をハンドリングすることの拒否を表す信号が受信された場合に、前記セルにおける前記半二重端末の前記特性が前記アイドル期間に適合していないと判断するステップと、
をさらに含むことを特徴とする、請求項１に記載の方法。
【請求項３】
無線セルラー電気通信ネットワークにおいて、半二重端末の特性が基地局のセルのアイドル期間に適合しているか否かを判断するためのデバイスであって、前記半二重端末は、前記半二重端末が位置する前記基地局の前記セルにおいて前記基地局により転送された信号を受信し、前記セルの前記アイドル期間は、前記半二重端末が前記基地局によってハンドリングされるとき、前記半二重端末が信号の転送及び受信を行わない時間期間であり、
該デバイスは、前記半二重端末に含まれ、且つ、
前記基地局によって転送された信号を受信する手段と、
前記受信された信号が所定の値よりも大きい場合に、前記基地局へ信号を転送する手段と、
前記基地局が前記半二重端末をハンドリングすることの受理を表す信号が少なくとも１つの時間期間内に一切受信されない場合、又は、前記基地局が前記半二重端末をハンドリングすることの拒否を表す信号が受信された場合に、前記セルにおける前記半二重端末の前記特性が前記アイドル期間に適合していないと判断する手段と、
を備え、
前記無線電気通信ネットワークは、半二重周波数分割複信方式を使用し、且つ、前記基地局によってハンドリングされる半二重端末のみが、前記基地局の前記セルの前記アイドル期間中に信号の転送及び受信を行わないか、又は、前記基地局によってハンドリングされる前記半二重端末及び前記基地局が、前記アイドル期間中に信号の転送及び受信を行わず、
前記半二重端末の前記特性は、前記基地局による前記信号の転送と、前記半二重端末による応答において転送された前記信号の受信との間の遅延であり、
前記半二重端末は複数の基地局から信号を受信し、前記無線セルラー電気通信ネットワークの前記セルは同期されており、
該デバイスは、
前記半二重端末による前記基地局の各信号の受信時刻に従って前記基地局をランク付けする手段と、
前記基地局のうちの１つを選択する手段と、
前記選択された基地局へ信号を転送する手段と、
前記基地局が前記半二重端末をハンドリングすることの受理を表す信号が少なくとも１つの時間期間内に一切受信されない場合、又は、前記基地局が前記半二重端末をハンドリングすることの拒否を表す信号が受信された場合に、前記セルにおける前記端末の前記特性が前記アイドル期間に適合していないと判断する手段と、
前記選択された基地局が前記半二重端末をハンドリングすることの受理を表す信号が少なくとも１つの時間期間内に一切受信されない場合、又は、前記選択された基地局が前記半二重端末をハンドリングすることの拒否を表す信号が受信された場合に、前記セルにおける前記端末の前記特性が、前記セルの前記アイドル期間の継続時間と同じ継続時間又はそれよりも小さい継続時間及び前記選択された基地局よりも低いランクを有する他の各セルの前記アイドル期間に適合していないと判断する手段と、
をさらに含む
ことを特徴とする、デバイス。
【請求項４】
プログラマブルデバイス内に直接ロード可能とすることができるコンピュータプログラムであって、該コンピュータプログラムがプログラマブルデバイス上で実行されると、請求項１又は２による方法のステップを実施するための命令又はコード部分を含む、コンピュータプログラム。
【発明の詳細な説明】
【技術分野】
【０００１】
本発明は、包括的には、無線セルラー電気通信ネットワークにおいて、基地局が端末をハンドリングすることができないかを判断する方法及びデバイスに関する。
【背景技術】
【０００２】
無線セルラー電気通信ネットワークへの接続を端末が試みているとき、その端末をハンドリングするのにいくつかの基地局が利用可能な場合がある。したがって、その端末をハンドリングすることができる基地局に端末の受信機を同期させるために、すなわち、端末が基地局を通じて他の電気通信デバイスと通信することを可能にすることができるように、初期セルサーチ手順が端末から要求される。次に、全体的なネットワーク効率を最適化するように、特定の基地局による新しい端末のハンドリングが決定される。
【０００３】
同様に、別の基地局による端末のハンドリングも、いわゆるハンドオーバ手順に従って通信中に決定することができる。
【０００４】
端末と基地局との間のチャネルの品質は、端末と基地局との間の距離、障害物の存在等のような伝播環境に従って変化する場合がある。
【０００５】
初期セルサーチ手順には、端末によるダウンリンクチャネルの信号の検出が必要とされ、より正確には、例として、同期チャネル、パイロットチャネル、又はデータチャネル等の測定チャネルの信号の検出が必要とされる。各基地局は、その信号を規則的に転送する。異なる測定チャネルの信号は検出されることができ、これらの信号の品質は端末によって評価される。その後、端末は、これらの信号の品質の測定値を記憶することができる。
【０００６】
初期セルサーチ手順は、信号が最良の品質で受信される基地局を識別することに本質があり、たとえば、基地局から端末によって受信されたいずれの信号が、所定の値よりも上の電力強度を有し、且つ／又は、他の基地局によって転送された信号の電力強度よりも高い電力強度を有するのかを識別することに本質がある。
【０００７】
この基地局が識別されると、競合ベースのチャネル、すなわち、予約メカニズムなしでいずれの端末にとってもアクセス可能なチャネルを通じて、識別された基地局に向かって、端末によりランダムアクセス手順が開始される。
【０００８】
基地局は、その新しい端末を識別し、通信を確立するためのダウンリンク固有制御情報（たとえば、資源予約、アップリンク同期不一致（uplink synchronisation mismatch）等）を端末へ送信する。
【０００９】
従来、理論的に通信をハンドリングすることができる基地局の候補セットが、各端末に規則的に割り当てられる。これらの候補基地局は、たとえば、端末を現在ハンドリングしている基地局の周囲の基地局とすることができる。各端末は、異なる候補基地局の測定チャネルの信号の品質を、定期的に測定するか、又は、要求に応じて、すなわち特定のイベントの後に測定する。これらの測定値は、その後、端末によって、ハンドオーバ手順を開始するべきか否かを判定することができる、この端末を現在ハンドリングしている基地局に報告される。
【００１０】
代替的に、基地局の候補セットは、端末に割り当てられない。各端末は、十分な品質を有する信号が測定されるその信号源の基地局と測定を行う。次に、端末は、ハンドオーバ手順を開始するべきか否かを判定することができる、この端末を現在ハンドリングしている基地局に測定値を報告する。
【００１１】
このような最先端のハンドオーバは初期セルサーチ手順と同様に、全二重端末については有効であるが、半二重端末についてはいくつかの問題につながるおそれがある。
【００１２】
全二重端末は、無線信号の送信及び受信を同時に行うことができる端末である。
【００１３】
半二重端末は、無線信号の送信及び受信を同時に行うことができない端末である。たとえば、端末は、時分割複信（ＴＤＤ）モードで動作し、送信及び受信は、同じ周波数帯域上であるが異なる時間期間に行われる。端末は、周波数分割複信（ＦＤＤ）モードでも動作することができ、送信及び受信は、異なる周波数帯域上で異なる時間期間に行われる。
【００１４】
時刻ｔｅにおいて基地局が半二重端末にシンボルを送信するとき、これらのシンボルは、基地局から距離ｄに位置する端末によって、ｔｅ＋ＲＴＤ（ｄ）／２に等しい時刻に受信される。ここで、ＲＴＤ（ｄ）は、この端末のラウンドトリップ遅延（Round Trip Delay）である。これらのシンボルは、端末によって処理され、端末も、その後、アップリンクチャネルを介して基地局へシンボルを送信することができる。端末ＴＥは、アップリンクチャネルを介してシンボルを送信する前に、ハードウェアオペレーション及びソフトウェアオペレーションの継続時間を考慮するために、或る期間待たなければならない。この或る期間は、受信送信切り換え時間（Receive Transmit Switch time）又は単にスイッチング時間と言われ、ＲＴＳと呼称される。たとえば、この遅延ＲＴＳは、端末のハードウェア機器が受信モードと送信モードとの間を切り換えるのに必要とする時間、及び、基地局のハードウェア機器が送信モードと受信モードとの間を切り換えるのに必要とする時間の最大値である。したがって、アップリンクチャネルを介して送信されたシンボルは、ｔｅ＋ＲＴＤ（ｄ）＋ＲＴＳ＋ＤDLに等しい時刻ｔｒの前に基地局ＢＴＳで受信することができない。ＤDLは、端末がダウンリンクチャネルで受信することができるシンボルの全継続時間である。
【００１５】
例として、第３世代パートナーシッププロジェクト長期的発展型（３ＧＰＰ／ＬＴＥ）と互換性のある１０ｋｍのＦＤＤセル半径を有する基地局を考える場合、基地局がそのセル内のいずれの位置に位置する端末もハンドリングすることができるようにするには、基地局側及び端末側の双方、又は、端末側のみのいずれかで、２シンボルの継続時間(two symbols duration)に対応するアイドル期間継続時間を作り出す必要がある。基地局は、２シンボルの継続時間に対応するアイドル期間継続時間によって、この基地局から最大１９．６ｋｍまでの距離に位置する半二重端末をハンドリングすることが可能になる。
【００１６】
１シンボルの継続時間(one symbol duration)に対応するアイドル期間継続時間では、基地局は、この基地局から最大８．３ｋｍまでの距離に位置する半二重端末しかハンドリングすることができない。
【００１７】
基地局は、１シンボルの継続時間に対応するアイドル期間継続時間により、たとえ測定チャネルの信号の品質が十分高くても、この基地局から８．３ｋｍよりも大きい距離に位置する半二重端末をハンドリングすることができないのに対して、全二重端末はハンドリングすることができる。
【００１８】
ここで、アイドル期間は、以下に開示するように、連続時間期間又は不連続時間期間とすることができることに留意しなければならない。
【００１９】
同様に、通信中、ハンドオーバ手順が基地局に対して要求される場合があるが、半二重端末が基地局から遠くにあり過ぎるため、基地局は半二重端末をハンドリングすることができないことがある。
【００２０】
これらの遠くの半二重端末を有効にするためにアイドル期間継続時間を長くすると、その結果、基地局によってハンドリングされる他のすべての端末のアクティブな送信継続時間が失われることになるので、アイドル期間継続時間を長くすることは、満足のいく解決法にはならない。
【００２１】
本発明は、無線セルラー電気通信ネットワークの基地局が半二重端末をハンドリングすることができないかを、当該基地局ができるだけ迅速に判断することを可能にすることを目的とする。
【００２２】
この目的で、本発明は、無線セルラー電気通信ネットワークにおいて、基地局が半二重端末をハンドリングすることができないかを判断する方法であって、基地局は、当該基地局のセルにおいて信号を転送し、半二重端末は、基地局によってハンドリングされているとき、基地局のセルのアイドル期間と呼ばれる時間期間中に信号の転送及び受信を行わず、
当該方法は、基地局によって実行されるステップであって、
基地局のセルにおいて信号を転送するステップと、
基地局によって転送された信号に応答して半二重端末によって転送された信号を受信するステップと、
受信された信号から、セルにおける半二重端末の特性を求めるステップと、
セルにおける半二重端末の特性がアイドル期間に適合していない場合に、基地局が半二重端末をハンドリングすることができないと判断するステップと、
を含むことを特徴とする、方法に関する。
【００２３】
本発明は、基地局が半二重端末をハンドリングすることができないかを判断することができる、無線セルラー電気通信ネットワークの基地局であって、当該基地局は、当該基地局のセルにおいて信号を転送し、半二重端末は、当該基地局によってハンドリングされているとき、当該基地局のセルのアイドル期間と呼ばれる時間期間中に信号の転送及び受信を行わず、
当該基地局は、
当該基地局のセルにおいて信号を転送する手段と、
当該基地局によって転送された信号に応答して半二重端末によって転送された信号を受信する手段と、
受信された信号から、セルにおける半二重端末の特性を求める手段と、
セルにおける半二重端末の特性がアイドル期間に適合していない場合に、当該基地局が半二重端末をハンドリングすることができないと判断する手段と、
を備えることを特徴とする、基地局にも関する。
【００２４】
したがって、基地局は、たとえ移動端末が基地局のセルに位置していても、端末をハンドリングしないことを決定することができる。
【００２５】
基地局のセルにおける半二重端末の特性をアイドル期間と比較することによって、基地局は、半二重端末がセルのアイドル期間で動作することができるか否かを判断することができる。
【００２６】
さらに、基地局のセルに位置するいずれの半二重端末も基地局によってハンドリングされることを可能にするために、セルのアイドル期間を求める必要はない。その結果、シグナリングのオーバーヘッドが削減される。
【００２７】
特定の特徴によれば、無線電気通信ネットワークは、半二重周波数分割複信方式を使用し、基地局によってハンドリングされる半二重端末のみが、基地局のセルのアイドル期間中に信号の転送及び受信を行わないか、又は、基地局によってハンドリングされる半二重端末及び基地局が、アイドル期間中に信号の転送及び受信を行わない。
【００２８】
したがって、半二重ＦＤＤ端末に起因する基地局におけるこの特定の実施態様のコストが削減されるか、又は、基地局の電力消費が制限される。
【００２９】
特定の特徴によれば、無線電気通信ネットワークは、時分割複信方式を使用し、基地局によってハンドリングされる半二重端末及び基地局は、アイドル期間中に信号の転送及び受信を行わない。
【００３０】
したがって、アップリンク通信とダウンリンク通信との間の干渉が削減される。
【００３１】
特定の特徴によれば、半二重端末の特性は、基地局による信号の転送と、半二重端末による応答において転送された信号の受信との間の遅延である。
【００３２】
したがって、セルにおける半二重端末の特性は、容易に求められ、半二重端末と基地局との間の距離を反映する。半二重端末は、自身のロケーションを得る必要がなく、そのロケーションを基地局へ転送する必要がない。
【００３３】
特定の特徴によれば、半二重端末の特性とアイドル期間との適合性の判断は、受信された信号が或る継続時間内に受信されたか否かをチェックすることによって実行される。
【００３４】
したがって、適合性の判断の実現が容易である。
【００３５】
特定の特徴によれば、セルにおける端末の特性は、端末と基地局とを隔てる距離である。
【００３６】
したがって、半二重端末が自身のロケーションを求めることができる場合、たとえば、半二重端末が全地球的航法衛星システムデバイスを装備している場合、又は、半二重端末が受信信号自体から若しくは他の任意の手段から位置決め情報を推定することができる場合、半二重端末は、基地局と半二重端末とを隔てる距離を求めることができる基地局へ自身のロケーションを転送することができる。
【００３７】
さらに別の態様によれば、本発明は、無線セルラー電気通信ネットワークにおいて、半二重端末の特性が基地局のセルのアイドル期間に適合しているか否かを判断する方法であって、半二重端末は、半二重端末が位置する基地局のセルにおいて基地局により転送された信号を受信し、セルのアイドル期間は、半二重端末が基地局によってハンドリングされるとき、半二重端末が信号の転送及び受信を行わない時間期間であり、
方法は、半二重端末によって実行されるステップであって、
基地局によって転送された信号を受信するステップと、
受信された信号が所定の値よりも大きい場合に、基地局へ信号を転送するステップと、
基地局が半二重端末をハンドリングすることの受理を表す信号が少なくとも１つの時間期間内に一切受信されない場合、又は、基地局が半二重端末をハンドリングすることの拒否を表す信号が受信された場合に、セルにおける半二重端末の特性がアイドル期間に適合していないと判断するステップと、
を含むことを特徴とする、方法に関する。
【００３８】
さらに別の態様によれば、本発明は、無線セルラー電気通信ネットワークにおいて、半二重端末の特性が基地局のセルのアイドル期間に適合しているか否かを判断するためのデバイスであって、半二重端末は、半二重端末が位置する基地局のセルにおいて基地局により転送された信号を受信し、セルのアイドル期間は、半二重端末が基地局によってハンドリングされるとき、半二重端末が信号の転送及び受信を行わない時間期間であり、
デバイスは、半二重端末に含まれ、且つ、
基地局によって転送された信号を受信する手段と、
受信された信号が所定の値よりも大きい場合に、基地局へ信号を転送する手段と、
基地局が半二重端末をハンドリングすることの受理を表す信号が少なくとも１つの時間期間内に一切受信されない場合、又は、基地局が半二重端末をハンドリングすることの拒否を表す信号が受信された場合に、セルにおける半二重端末の特性がアイドル期間に適合していないと判断する手段と、
を備えることを特徴とする、デバイスに関する。
【００３９】
したがって、半二重端末は、たとえ基地局から受信された信号の品質が良好であっても、その基地局が端末をハンドリングするのに良好な候補でないことに気付く。
【００４０】
その結果、半二重端末は、後に、その基地局によってハンドリングされる要求を回避することができる。その結果、無線セルラー電気通信ネットワークの資源としての半二重端末の処理資源が保存される。
【００４１】
特定の特徴によれば、無線電気通信ネットワークは、半二重周波数分割複信方式を使用し、基地局によってハンドリングされる半二重端末のみが、基地局のセルのアイドル期間中、信号の転送及び受信を行わないか、又は、基地局によってハンドリングされる半二重端末、及び基地局が、アイドル期間中、信号の転送及び受信を行わない。
【００４２】
したがって、半二重ＦＤＤ端末に起因する、基地局におけるこの特定の実施態様のコストが削減されるか、又は、基地局の電力消費が制限される。
【００４３】
特定の特徴によれば、無線電気通信ネットワークは、時分割複信方式を使用し、基地局によってハンドリングされる半二重端末、及び、基地局は、アイドル期間中、信号の転送及び受信を行わない。
【００４４】
したがって、アップリンク通信とダウンリンク通信との間の干渉が削減される。
【００４５】
特定の特徴によれば、セルにおける半二重端末の特性がアイドル期間に適合していない場合に、
当該端末は、
基地局へ別の信号を転送し、
基地局が半二重端末をハンドリングすることの受理を表す信号が別の時間期間内に一切受信されない場合、又は、基地局が半二重端末をハンドリングすることの拒否を表す信号が受信された場合に、セルにおける半二重端末の特性がアイドル期間に適合していないと判断する。
【００４６】
したがって、半二重端末には、自身が基地局によってハンドリングされることができないことが通知される。
【００４７】
さらに、上記判断することは少なくとも２回実行されるので、メッセージが雑音によって受信されないという危険性が最小にされる。
【００４８】
特定の特徴によれば、半二重端末の特性は、基地局による信号の転送と、半二重端末による応答において転送された信号の受信との間の遅延である。
【００４９】
したがって、セルにおける半二重端末の特性は、容易に求められ、半二重端末と基地局との間の距離を反映する。半二重端末は、自身のロケーションを得る必要がなく、そのロケーションを基地局へ転送する必要がない。
【００５０】
特定の特徴によれば、半二重端末は複数の基地局から信号を受信し、無線セルラー電気通信ネットワークのセルは同期されており、
上記端末は、
半二重端末による基地局の各信号の受信時刻に従って基地局をランク付けし、
基地局のうちの１つを選択し、
選択された基地局へ信号を転送し、
基地局が半二重端末をハンドリングすることの受理を表す信号が少なくとも１つの時間期間内に一切受信されない場合、又は、基地局が半二重端末をハンドリングすることの拒否を表す信号が受信された場合に、セルにおける端末の特性がアイドル期間に適合していないと判断し、
選択された基地局が半二重端末をハンドリングすることの受理を表す信号が少なくとも１つの時間期間内に一切受信されない場合、又は、選択された基地局が半二重端末をハンドリングすることの拒否を表す信号が受信された場合に、端末の特性が、セルのアイドル期間の継続時間と同じ継続時間又はそれよりも小さい継続時間及び選択された基地局よりも低いランクを有する他の各セルのアイドル期間に適合していないと判断する。
【００５１】
したがって、異なる基地局への信号の転送回数が制限される。基地局は、半二重端末からの自身の距離に従って、最小距離から最大距離にランク付けされる。最低ランクは、最大距離に対応する。セルにおける端末の特性が、セルのアイドル期間に適合していない場合、その端末の特性は、同じアイドル期間又はそれよりも小さいアイドル期間及びより低いランクを有する基地局のセルのアイドル期間に適合しないことになる。
【００５２】
さらに別の態様によれば、本発明は、プログラマブルデバイス内に直接ロード可能とすることができるコンピュータプログラムであって、コンピュータプログラムがプログラマブルデバイス上で実行されると、本発明による方法のステップを実施するための命令又はコード部分を含む、コンピュータプログラムに関する。
【００５３】
このコンピュータプログラムに関する特徴及び利点は、本発明による方法及びデバイスに関連して上述したものと同じであるので、ここでは繰り返さないことにする。
【００５４】
本発明の特徴は、一例の実施形態の以下の説明を読むことによってより明確になろう。当該説明は、添付図面に関して作成されている。
【図面の簡単な説明】
【００５５】
【図１】本発明が実施される無線電気通信システムのアーキテクチャを表す図である。
【図２ａ】アップリンクチャネルが同期し、且つ、基地局及び半二重端末の双方がセルのアイドル期間において信号の転送及び受信を行わない、アイドル期間を示すクロノグラムである。
【図２ｂ】アップリンクチャネルが同期し、且つ、半二重端末がセルのアイドル期間において信号の転送及び受信を行わない、アイドル期間を示すクロノグラムである。
【図３】アップリンクチャネルが非同期であり、無線電気通信ネットワークが時分割複信方式を使用し、且つ、セルに位置する半二重端末及び基地局の双方がアイドル期間中信号の転送及び受信を行わない、アイドル期間を示すクロノグラムである。
【図４】本発明に従って転送される信号のクロノグラムの一例を示す。
【図５】本発明による無線電気通信システムの基地局のアーキテクチャを表す図である。
【図６】本発明による無線電気通信システムの端末のアーキテクチャを表す図である。
【図７】本発明による基地局によって実行されるアルゴリズムの一例である。
【図８ａ】本発明の第１の実現モードによる端末によって実行されるアルゴリズムの一例である。
【図８ｂ】本発明の第２の実現モードによる端末によって実行されるアルゴリズムの一例である。
【図８ｃ】本発明の第３の実現モードによる端末によって実行されるアルゴリズムの一例である。
【図８ｄ】本発明の第４の実現モードによる端末によって実行されるアルゴリズムの一例である。
【発明を実施するための形態】
【００５６】
図１は、本発明が実施される無線電気通信システムのアーキテクチャを表す図である。
【００５７】
無線電気通信システムは、時分割複信方式（ＴＤＤ）又は半二重周波数分割複信方式(half duplex Frequency Division Duplexing scheme)を使用する無線電気通信システムとすることができる。
【００５８】
ＴＤＤ方式では、アップリンクチャネル及びダウンリンクチャネルで転送される信号は、同じ周波数帯域において、異なるサブフレームで複信される。このサブフレームは、タイムスロットとも呼ばれる。
【００５９】
全二重周波数分割複信方式では、アップリンクチャネル及びダウンリンクチャネルで転送される信号は、異なる周波数帯域において、同じサブフレームで複信される。このサブフレームは、タイムスロットとも呼ばれる。
【００６０】
半二重端末側からの半二重ＦＤＤ方式では、アップリンクチャネル及びダウンリンクチャネルで転送される信号は、異なる周波数帯域において、異なるサブフレームで複信される。このサブフレームは、タイムスロットとも呼ばれる。このような場合、基地局は、全二重周波数分割複信方式を使用することができる場合があると同時に、各半二重ＦＤＤ端末のタイムスロットを適切に順序付けることによっていくつかの半二重ＦＤＤ端末と同時に通信することができる場合があることに留意すべきである。
【００６１】
基地局ＢＳが端末ＴＥｉ（ｉ＝１〜２）にシンボルを転送するとき、データ、信号、又はメッセージは、ダウンリンクチャネルを通じて転送される。
【００６２】
端末ＴＥｉ（ｉ＝１〜２）が基地局ＢＳにシンボルを転送するとき、信号又はデータは、アップリンクチャネルを通じて転送される。
【００６３】
図１の電気通信システムでは、少なくとも１つであるが好ましくは複数の端末ＴＥ１及びＴＥ２は基地局ＢＳ１のセル１５1に含まれ、端末ＴＥ２は基地局ＢＳ２のセル１５2にさらに含まれる。
【００６４】
単純にするために、図１には、２つの基地局ＢＳしか示されていないが、実際には、特に無線ネットワークが無線セルラーネットワークである場合、無線セルラー電気通信システムは、複数の基地局ＢＳから成る。
【００６５】
基地局ＢＳ１のセル１５1は、基地局ＢＳ１の測定チャネルで転送される信号のような、基地局ＢＳ１によって転送される信号の電力強度が、セル１５1に位置する端末ＴＥによって所定の値よりも上のレベルで受信されるエリアである。
【００６６】
全二重端末ＴＥが基地局ＢＳ１のセル１５1に位置しているとき、基地局ＢＳ１は、全二重端末ＴＥをハンドリングすることができる。全二重端末ＴＥは、基地局ＢＳ１を通じて、リモートの電気通信デバイスと通信を確立又は受信することができる。セル１５1は、規則正しい形状を有していない。これは、主として、障害物又は基地局ＢＳ１との見通し線にある特定のロケーションに起因する。
【００６７】
基地局ＢＳ１のエリアＲ１は、Ｒ１内に位置する各端末ＴＥについて、基地局ＢＳ１とその端末ＴＥとの間のラウンドトリップ遅延、並びに、受信モードと送信モードとの間の切り換え、及び／又は送信モードと受信モードとの間の切り換えの合計が、セル１５1のアイドル期間以下であるエリアである。
【００６８】
換言すれば、半二重端末ＴＥ又は全二重端末ＴＥが基地局ＢＳ１のエリアＲ１内に位置するとき、基地局ＢＳ１は端末ＴＥをハンドリングすることができ、端末ＴＥは基地局ＢＳ１を通じてリモートの電気通信デバイスとの通信を確立又は受信することができる。
【００６９】
半二重端末ＴＥが、セル１５1内に位置し、基地局ＢＳ１のエリアＲ１内に位置していないとき、端末ＴＥは、セル１５1において、セル１５1のアイドル期間と整合していない特性を有するので、基地局ＢＳ１は半二重端末ＴＥをハンドリングすることができない。
【００７０】
エリアＲ１は、セル１５1に含まれる。Ｒ１と１５1との相違は、セル１５1について設定されたアイドル期間によって画定される。
【００７１】
大きなアイドル期間によって、基地局ＢＳ１はいずれの半二重端末ＴＥもハンドリングすることが可能になるが、基地局ＢＳ１と半二重端末ＴＥとの間で転送されるデータの点から、全体の容量は削減される。Ｒ１は、セル１５1に位置する大部分の半二重端末ＴＥに、基地局ＢＳ１によってハンドリングされる可能性を提供するように画定される。Ｒ１は、基地局ＢＳ１から遠い少数の半二重端末ＴＥのためのみにアイドル期間を長くしなければならないことを回避するように画定される。
【００７２】
基地局ＢＳ２のセル１５2は、基地局ＢＳ２の測定チャネルで転送される信号のような信号の電力強度が、セル１５2に位置する端末ＴＥによって所定の値よりも上のレベルで受信されるエリアである。全二重端末ＴＥが、基地局ＢＳ２のセル１５2に位置しているとき、基地局ＢＳ２は、全二重端末ＴＥをハンドリングすることができる。全二重端末ＴＥは、基地局ＢＳ２を通じて、リモートの電気通信デバイスと通信を確立又は受信することができる。
【００７３】
基地局ＢＳ２のエリアＲ２は、Ｒ２内に位置する各端末ＴＥについて、基地局ＢＳ２とその端末ＴＥとの間のラウンドトリップ遅延、並びに、受信モードと送信モードとの間の切り換え、及び／又は送信モードと受信モードとの間の切り換えの合計が、セル１５2のアイドル期間以下であるエリアである。
【００７４】
換言すれば、半二重端末ＴＥ又は全二重端末ＴＥが基地局ＢＳ２のエリアＲ２内に位置するとき、基地局ＢＳ２は端末ＴＥをハンドリングすることができ、端末ＴＥは基地局ＢＳ２を通じてリモートの電気通信デバイスとの通信を確立又は受信することができる。
【００７５】
半二重端末ＴＥが、セル１５2に位置し、基地局ＢＳ２のエリアＲ２内に位置していないとき、端末ＴＥは、セル１５2において、セル１５2のアイドル期間と整合していない特性を有するので、基地局ＢＳ２は半二重端末ＴＥをハンドリングすることができない。
【００７６】
エリアＲ２は、セル１５2に含まれる。Ｒ２と１５2との相違は、セル１５2について設定されたアイドル期間によって画定される。
【００７７】
ここで、セル１５1及び１５2についてそれぞれ設定されたアイドル期間は、等しくてもよく、又は異なってもよいことに留意しなければならない。
【００７８】
図１では、端末ＴＥ１は、基地局ＢＳ１のセル１５1内及びエリアＲ１内に位置する。端末ＴＥ２は、基地局ＢＳ１のセル１５1内に位置し、且つ、基地局ＢＳ２のセル１５2内及びエリアＲ２内に位置する。
【００７９】
この発明によれば、各基地局ＢＳは、自身のセル１５1において信号を転送し、端末ＴＥが半二重端末ＴＥであるか否かを判断し、端末ＴＥが半二重端末ＴＥである場合には、
基地局ＢＳによって転送された信号に応答して端末ＴＥにより転送された信号を受信し、
受信された信号から、セル１５における端末ＴＥの特性を求め、
セル１５における端末ＴＥの特性がセル１５のアイドル期間に適合していない場合に、基地局ＢＳが端末ＴＥをハンドリングすることができないと判断する。
【００８０】
特定の特徴によれば、端末ＴＥの特性は、基地局ＢＳによる信号の転送と、端末ＴＥによる応答において転送された信号の受信との間の遅延である。
【００８１】
特定の特徴によれば、端末ＴＥの特性とアイドル期間との適合性の判断は、受信された信号が或る時間期間内に受信されたか否かをチェックすることによって実行される。
【００８２】
特定の特徴によれば、セル１５における端末ＴＥの特性は、端末ＴＥと基地局ＢＳとを隔てる距離である。この距離は、端末ＴＥによって転送されるか、又は、受信された信号に含まれる端末ＴＥの位置から求められるか、又は、受信された信号自体から求められる。
【００８３】
簡単にするために、図１には２つの端末ＴＥしか示されていないが、実際には、より重要な数（a more important number）の全二重又は半二重の端末ＴＥが、基地局ＢＳのセル１５内に存在する。基地局ＢＳは、各端末ＴＥが全二重端末ＴＥであるのか又は半二重端末ＴＥであるのかを判断することができる。
【００８４】
基地局ＢＳは、ノード、又はノードＢ、又は拡張ノードＢ、又はアクセスポイントとも呼ばれる。
【００８５】
端末ＴＥ１及びＴＥ２は、移動電話、携帯情報端末、又はパーソナルコンピュータのような半二重端末である。端末ＴＥは、ユーザ機器とも呼ばれる。
【００８６】
無線電気通信ネットワークは、セル同期されている場合がある。この場合、異なるセル１５又は基地局ＢＳを発信源とする信号は、同時に送信される。
【００８７】
より正確には、これらの信号は、フレームに構造化され、それ自体、シンボルから成る。セル同期は、シンボルレベルで確保される場合があり、これは、所与のセル１５又は基地局ＢＳにおけるシンボルの送信時刻が、他の任意のセル１５又は基地局ＢＳにおけるシンボルの送信時刻と一致することを意味する。また、セル同期は、フレームレベルで確保される場合もある。その場合、所与のセル１５又は基地局ＢＳにおけるフレームの送信時刻は、他の任意のセル１５又は基地局ＢＳにおけるフレームの送信時刻と一致する。セル同期は、各基地局ＢＳにＧＮＳＳ（全地球的航法衛星システム）を含めることによって行うことができる。
【００８８】
一代替形態として、無線電気通信ネットワークは、セル同期されていないものとすることができる。この場合、異なるセル１５間又は異なる基地局ＢＳ間で、フレームレベルの同期もシンボルレベルの同期も保証する必要はない。
【００８９】
図２ａは、アップリンクチャネルが同期し、且つ、基地局及び半二重端末の双方がセルのアイドル期間において信号の転送及び受信を行わない、アイドル期間を示すクロノグラムである。
【００９０】
アップリンクチャネルが同期しているとき、基地局ＢＳの所与のセル１５のアップリンクチャネルで送信されるシンボルは、基地局ＢＳと端末ＴＥとを隔てる距離にかかわらず、基地局ＢＳによって同じ時刻ｔｒで受信されなければならない。基地局及び半二重端末側の双方によってアイドル期間中に信号が受信も転送もされないとき、基地局ＢＳは、端末ＴＥによって送信されたシンボルの処理を行うために、それらのシンボルの受信を待たなければならない。
【００９１】
エリアＲ１又はＲ２の境界に位置する端末ＴＥについて求められる待ち時間、換言すれば、求めることができる最大待ち時間は、ガード期間又はアイドル期間ＩＰと呼ばれ、少なくとも、ラウンドトリップ遅延ＲＴＤ（Ｒａ）に受信送信切り換え時間ＲＴＳを加えたものに等しくなければならない。ここで、Ｒａは、エリアＲ１又はＲ２が円とみなされる場合のエリアＲ１又はＲ２の半径である。
【００９２】
基地局ＢＳ１は、ダウンリンクシンボルＤＬを端末ＴＥ１へ転送する。これらのダウンリンクシンボルＤＬは、ラウンドトリップ遅延ＲＴＤの２分の１に等しい遅延で端末ＴＥ１によって受信される。
【００９３】
アイドル期間ＩＰの期間中、基地局ＢＳは、いずれのシンボルの転送も受信も行わない。いずれのシンボルの転送も受信も行わないことによって、基地局の電力消費が削減される。
【００９４】
基地局ＢＳとそのセル１５に含まれる各端末ＴＥとを隔てる距離にかかわらず、基地局ＢＳがアップリンクシンボルを同時に受信する必要があるので、基地局ＢＳは、端末ＴＥのそれぞれについてタイミング遅延ＴＤ（ｄ）を求める。
【００９５】
このタイミング遅延は、次の式を使用して計算される。
ＴＤ（ｄ）＝ｔｒ−ｔｅ−ＤDL−ＲＴＤ（ｄ）＝ＩＰ−ＲＴＤ（ｄ）
ここで、ｄは、端末ＴＥと基地局ＢＳとの間の距離であり、ＤDLは、端末ＴＥがダウンリンクチャネルで受信することができるシンボルの全継続時間である。
【００９６】
基地局ＢＳは、各タイミング遅延から、各端末ＴＥについてタイミングアドバンスＴＡ＝ＩＰ−ＴＤ（ｄ）を求め、このタイミングアドバンスを対応する端末ＴＥへ転送する。
【００９７】
端末ＴＥ１が、その端末ＴＥのデータを含む先行のダウンリンクタイムスロットの直後のアップリンクタイムスロットにスケジューリングされている場合、端末ＴＥ１は、アップリンクチャネルを介するシンボルの送信に自身のタイミングアドバンスＴＡ（ＴＥ１）値を適用して、送信されたシンボルが、アップリンクタイムスロットｔｒの開始時に端末ＴＥ１から基地局ＢＳで受信されるようにする。
【００９８】
ここで、アイドル期間ＩＰは不連続であることに留意しなければならない。アイドル期間ＩＰは、端末ＴＥ（１）について、１／２ＲＴＤ及び時間期間ＴＤ（ＴＥ１）で示される２つの時間期間から成る。
【００９９】
図２ｂは、アップリンクチャネルが同期し、且つ、半二重端末がセルのアイドル期間において信号の転送及び受信を行わない、アイドル期間を示すクロノグラムである。
【０１００】
図２ｂの例のアイドル期間中、端末ＴＥのみが、信号の受信も転送も行わない。
【０１０１】
基地局ＢＳは、アイドル期間を何ら考慮することなく、ダウンリンクチャネルＤＬTでシンボルを転送する。基地局ＢＳは、各端末ＴＥを潜在的に全二重端末ＴＥであるとみなす。基地局ＢＳは、たとえシンボルが半二重端末によって使用可能でない場合であっても、シンボルを転送することがある。使用可能でないシンボルを転送することによって、全二重端末ＴＥ及び半二重端末ＴＥをハンドリングすることができる基地局ＢＳの特定の特徴を製造するための開発コストが削減される。
【０１０２】
半二重端末ＴＥ、例として端末ＴＥ１がダウンリンクチャネルＤＬTでシンボルを受信すると、端末ＴＥ１は、受信シンボルに対して或るパンクチャリングを実行する。端末ＴＥ１は、セル１５のアイドル期間に整合するダウンリンクシンボル、すなわち、端末ＴＥがダウンリンクチャネルで受信することができるシンボルの継続時間ＤDLに含まれるダウンリンクシンボルのみをＤＬRで受信する。
【０１０３】
端末ＴＥ１のタイミングアドバンスＴＡ（ＴＥ１）及びタイミング遅延ＴＤ（ＴＥ１）は、図２ａで開示したのと同様の方法で求められる。
【０１０４】
ここで、アイドル期間ＩＰは、基地局ＢＳでは連続であるのに対して、半二重端末ＴＥ１では不連続であることに留意しなければならない。アイドル期間ＩＰは、端末ＴＥ１について、１／２ＲＴＤ及び時間期間ＴＤ（ＴＥ１）で示される２つの時間期間から成る。
【０１０５】
ＤDLに含まれない信号Ｐｕｎｃは処理されない。
【０１０６】
図３は、アップリンクチャネルが非同期であり、無線電気通信ネットワークが時分割複信方式を使用し、且つ、セルに位置する半二重端末及び基地局がアイドル期間中に信号の転送及び受信を行わないときのアイドル期間を示すクロノグラムである。
【０１０７】
アップリンクチャネルが非同期であるとき、すなわち、異なる端末ＴＥからアップリンクチャネルで送信されたシンボルが同時に受信される必要がないとき、各端末ＴＥａ又はＴＥｂは、基地局ＢＳによってダウンリンクチャネルで送信された信号の受信終了後、同じ所定の継続時間の後に、アップリンクチャネルを介してアップリンクシンボルＵＬａ又はＵＬｂを送信する。したがって、アイドル期間は、セル１５内の異なる端末の異なる伝播距離を吸収するために、基地局ＢＳにおいて作成される。
【０１０８】
端末ＴＥａは、端末ＴＥｂよりも基地局ＢＳに近い。端末ＴＥａは、端末ＴＥｂのラウンドトリップ遅延ＲＴＤ（ｂ）の２分の１よりも小さいラウンドトリップ遅延ＲＴＤ（ａ）の２分の１の後に、ダウンリンクシンボルＤＬを受信する。
【０１０９】
端末ＴＥａがシンボルを転送する場合、これらのシンボルは、図３に示すように、端末ＴＥｂによって転送されたシンボルよりも早く基地局ＢＳによって受信される。
【０１１０】
図４は、本発明に従って転送される信号のクロノグラムの一例を示している。
【０１１１】
図４の例では、端末ＴＥの特性は、基地局ＢＳによる信号の転送と、端末ＴＥによる応答において転送された信号の受信との間の遅延である。
【０１１２】
その例では、端末ＴＥの特性とアイドル期間との適合性の判断は、受信された信号が或る時間期間内に受信されたか否かをチェックすることによって実行される。
【０１１３】
図４は、基地局ＢＳ１によって転送された信号、並びに、基地局ＢＳ１によって転送された信号に応答して端末ＴＥ１及びＴＥ２によって転送されたメッセージを示している。
【０１１４】
基地局ＢＳ１は、周期的に又は或る特定のイベント後に、信号Ｓｙｎｃを測定チャネルで転送する。
【０１１５】
好ましくは、基地局ＢＳ１は、信号Ｓｙｎｃの転送後、Ｄ１で示す時間期間の間待機する。Ｄ１は、各端末ＴＥ及び基地局ＢＳ１によって知られている。
【０１１６】
端末ＴＥ１及びＴＥ２は、基地局ＢＳ１のセル１５1内に位置しているので、基地局ＢＳ１から端末ＴＥ１及びＴＥ２によって受信された信号の電力強度は、所定の値よりも大きい。
【０１１７】
これに応答して、好ましくは時間期間Ｄ１の後、端末ＴＥ１は、基地局ＢＳ１によってハンドリングされる要求ＲＡＣＨ１を表すメッセージの転送を命令する。端末ＴＥ２も、基地局ＢＳ１によってハンドリングされる要求ＲＡＣＨ２の転送を命令する。ＲＡＣＨ１メッセージ及びＲＡＣＨ２メッセージは、好ましくは、ランダムアクセス手順を指す。
【０１１８】
時間期間Ｄ１は、少なくとも、受信モードから送信モードへの切り換え時間に等しく、且つ／又は、送信モードから受信モードへの切り換え時間に等しい。
【０１１９】
ここで、これらの切り換え時間は、相互に異なる場合があり、且つ／又は、端末ＴＥに従って変化する場合があることに留意しなければならない。
【０１２０】
時間期間Ｄ１が経過すると、基地局ＢＳ１は、Ｄ２で示す第２の時間期間をアクティブにする。Ｄ２は、少なくとも２Ｒ1／ｃに等しい。ｃは光速であり、Ｒ1は、基地局ＢＳ１と、Ｒ１の境界に位置する端末ＴＥとの間の最大距離である。
【０１２１】
基地局ＢＳ１は、時間期間Ｄ２内での要求ＲＡＣＨ１又はＲＡＣＨ２の受信に従って端末ＴＥ１又はＴＥ２の要求を受理するか、又は、それらの要求の受信に従うことなく要求を拒絶する。
【０１２２】
端末ＴＥ１はエリアＲ１内に位置しているので、端末ＴＥ１の要求ＲＡＣＨ１は時間期間Ｄ２中に受信され、基地局ＢＳ１は端末ＴＥ１のハンドリングの受理を表すＡｃｃｅｐｔで示されるメッセージの転送を命令する。
【０１２３】
端末ＴＥ２はエリアＲ１内に位置していないので、端末ＴＥ２の要求ＲＡＣＨ２は時間期間Ｄ２中に受信されず、基地局ＢＳ１は端末ＴＥ２のハンドリングを拒絶する。
【０１２４】
基地局ＢＳ１は、拒絶メッセージの転送を命令するか、又は、端末ＴＥ２に何らメッセージを転送しない。
【０１２５】
ここで、端末ＴＥが基地局ＢＳ１を通じてリモート通信デバイスと通信しているときは、Ｓｙｎｃ信号及びＲＡＣＨ信号の代わりに、例としてダウンリンク信号及びアップリンク信号を代わりに使用することができることに留意しなければならない。その場合、基地局ＢＳ１は、端末ＴＥのハンドリングを拒絶するときに、ハンドオーバ手順を開始する。
【０１２６】
図５は、本発明による基地局のアーキテクチャを表す図である。
【０１２７】
基地局ＢＳ、例として基地局ＢＳ１は、たとえば、バス５０１によって互いに接続されたコンポーネント、及び、図７に開示するようなアルゴリズムに関連するプログラムによって制御されるプロセッサ５００に基づくアーキテクチャを有する。
【０１２８】
ここで、基地局ＢＳ１は、一変形では、以下で開示するようなプロセッサ５００によって実行されるオペレーションと同じオペレーションを実行する１つ又はいくつかの専用集積回路の形態で実施されることに留意しなければならない。
【０１２９】
バス５０１は、プロセッサ５００を、読み出し専用メモリＲＯＭ５０２、ランダムアクセスメモリＲＡＭ５０３、及びチャネルインターフェース５０５にリンクする。
【０１３０】
読み出し専用メモリＲＯＭ５０２は、図７に開示するようなアルゴリズムに関連するプログラムの命令を含む。これらの命令は、基地局ＢＳに電源が投入されるときにランダムアクセスメモリＲＡＭ５０３へ転送される。
【０１３１】
ＲＡＭメモリ５０３は、変数と、図７に開示するようなアルゴリズムに関連するプログラムの命令とを収容するように意図されるレジスタを含む。
【０１３２】
チャネルインターフェース５０５は、アンテナＢＳＡｎｔを通じて、端末ＴＥへ信号及び／若しくはメッセージを転送し、且つ／又は端末ＴＥから信号及び／若しくはメッセージを受信する手段を備える。
【０１３３】
図６は、本発明による端末のアーキテクチャを表す図である。
【０１３４】
各端末ＴＥｉ、例として端末ＴＥ１、は、たとえば、バス６０１によって互いに接続されたコンポーネント、及び、図８に開示するようなアルゴリズムに関連するプログラムによって制御されるプロセッサ６００に基づくアーキテクチャを有する。
【０１３５】
ここで、端末ＴＥ１は、一変形では、以下に開示するようなプロセッサ６００によって実行されるオペレーションと同じオペレーションを実行する１つ又はいくつかの専用集積回路の形態に基づいて実施されることに留意しなければならない。
【０１３６】
バス６０１は、プロセッサ６００を、読み出し専用メモリＲＯＭ６０２、ランダムアクセスメモリＲＡＭ６０３、及びチャネルインターフェース６０５にリンクする。
【０１３７】
読み出し専用メモリＲＯＭ６０２は、図８に開示するようなアルゴリズムに関連するプログラムの命令を含む。これらの命令は、端末ＴＥ１に電源が投入されるときにランダムアクセスメモリＲＡＭ６０３へ転送される。
【０１３８】
ＲＡＭメモリ６０３は、変数と、図８に開示するようなアルゴリズムに関連するプログラムの命令とを収容するように意図されるレジスタを含む。
【０１３９】
チャネルインターフェース６０５は、アンテナＴＥＡｎｔを通じて基地局ＢＳへ信号及び／若しくはメッセージを転送し且つ／又は基地局ＢＳから信号及び／若しくはメッセージを受信する手段と、受信された信号、例として測定チャネルの信号Ｓｙｎｃ、を測定する手段とを備える。
【０１４０】
図７は、本発明による基地局によって実行されるアルゴリズムの一例である。
【０１４１】
図７の例では、端末ＴＥの特性は、基地局ＢＳによる信号の転送と、端末ＴＥによる応答において転送された信号の受信との間の遅延である。
【０１４２】
その例では、端末ＴＥの特性とアイドル期間との適合性の判断は、受信された信号が或る時間期間内に受信されたか否かをチェックすることによって実行される。
【０１４３】
より正確には、本アルゴリズムは、各基地局ＢＳのプロセッサ５００によって、周期的に又は特定のイベント時に又はダウンリンク信号が転送されるごとに実行される。
【０１４４】
ステップＳ７００において、プロセッサ５００は、チャネルインターフェース５０５を通じたダウンリンク信号の転送を命令する。このダウンリンク信号は、測定チャネルで転送されるＳｙｎｃ信号、又は、宛先端末ＴＥが関与する通信に関連する従来の信号である。
【０１４５】
次のステップＳ７０１において、プロセッサ５００は、図４に開示したような時間期間Ｄ１の間待機する。
【０１４６】
次のステップＳ７０２において、プロセッサ５００は、図４に開示したような第２の時間期間Ｄ２をアクティブにする（始動する）。
【０１４７】
次のステップＳ７０３において、プロセッサ５００は、ステップＳ７００において転送された信号に応答して端末ＴＥにより転送されたアップリンク信号が、チャネルインターフェース５０５によって受信されたか否かをチェックする。このアップリンク信号は、ＲＡＣＨ信号、又は、宛先端末ＴＥが関与する通信に関連する従来の信号である。
【０１４８】
ステップＳ７００において転送された信号に応答して端末ＴＥにより転送された信号がチャネルインターフェース５０５によって受信された場合、プロセッサ５００は、ステップＳ７０４に進む。受信されない場合、プロセッサ３００は、ステップＳ７０３に戻る。
【０１４９】
ステップＳ７０４において、プロセッサ５００は、時間期間Ｄ２が経過したか否かをチェックする。
【０１５０】
時間期間Ｄ２が経過した場合、プロセッサ５００は、ステップＳ７０６に進む。経過していない場合、プロセッサ５００は、ステップＳ７０５に進む。
【０１５１】
信号が受信されるとチェックを行うことによって、Ｄ２が満了した場合に、プロセッサ５００は、受信された信号から、セル１５における端末ＴＥの特性を求める。すなわち、プロセッサ５００は、端末ＴＥのラウンドトリップ遅延が、セル１５のアイドル期間よりも大きくないかを判断する。
【０１５２】
ステップＳ７０６において、セル１５における端末ＴＥの特性は、セル１５のアイドル期間に適合していないので、プロセッサ５００は、基地局ＢＳが端末ＴＥをハンドリングすることができないと判断する。その後、プロセッサ５００は、別の端末ＴＥがアップリンク信号を送信する場合に備えてステップ７０３に戻る。
【０１５３】
ステップＳ７０５において、セル１５における端末ＴＥの特性は、アイドル期間に適合しているので、プロセッサ５００は、基地局ＢＳが端末ＴＥをハンドリングすることができると判断する。プロセッサ５００は、基地局ＢＳが端末ＴＥをハンドリングすること又は端末ＴＥのハンドリングを継続することを端末ＴＥに通知し、別の端末ＴＥがアップリンク信号を送信する場合に備えてステップＳ７０３に戻る。
【０１５４】
端末ＴＥ１はエリアＲ１内に位置するので、端末ＴＥ１によって転送された信号は時間期間Ｄ２中に受信され、プロセッサ５００は、端末ＴＥ１のハンドリングの受理又は端末ＴＥのハンドリングの継続の受理を表すメッセージの転送を命令する。
【０１５５】
端末ＴＥ２はエリアＲ１内に位置していないので、端末ＴＥ２の要求ＲＡＣＨ２は時間期間Ｄ２中に受信されず、基地局ＢＳ１は、端末ＴＥ２のハンドリングを拒絶する。端末ＴＥ２は、基地局ＢＳからの拒絶メッセージを受信することにより、又は、基地局ＢＳから別の基地局ＢＳへのハンドオーバに進む要求を受信することにより、又は、所定の時間期間内に端末ＴＥ２のハンドリングの受理を表すメッセージを受信しないことにより、その拒絶の通知を受ける。
【０１５６】
図８ａは、本発明の第１の実現モードによる端末によって実行されるアルゴリズムの一例である。
【０１５７】
本アルゴリズムは、より正確には、無線セルラー電気通信ネットワークがセル同期されているとき又はセル同期されていないときに、各端末ＴＥのプロセッサ６００によって実行される。
【０１５８】
ステップＳ８００において、プロセッサ６００は、端末ＴＥがアクティブであるか否かをチェックする。端末ＴＥは、電源が投入され且つアイドルモードにあるとき、又は、リモート電気通信デバイスと通信しているときアクティブである。
【０１５９】
端末ＴＥがアクティブでない場合、プロセッサ６００はステップＳ８００に戻る。端末ＴＥがアクティブである場合、プロセッサ６００はステップＳ８０１に進む。
【０１６０】
ステップＳ８０１において、プロセッサ６００は、到達不能な基地局ＢＳのリストをリセットする。この到達不能な基地局ＢＳのリストは、端末ＴＥのハンドリングを拒否した基地局ＢＳの識別子を含むことを目的としている。到達不能な基地局ＢＳのリストは、その内容を空にすることによってリセットされる。
【０１６１】
次のステップＳ８０２において、プロセッサ６００は、ダウンリンク信号に関するいくつかの品質測定を実行するようにチャネルインターフェース６０５に命令する。チャネルインターフェース６０５は、見つけることができる基地局ＢＳによって例えば各測定チャネルで転送された信号を測定し、品質測定値が所定の値よりも高い基地局ＢＳ及び測定値を記憶する。
【０１６２】
次のステップＳ８０３において、プロセッサ６００は、図４に開示したような時間期間Ｄ１の間待機する。
【０１６３】
次のステップＳ８０４において、プロセッサ６００は、品質測定値が所定の値よりも高く且つ到達不能な基地局ＢＳのリストに属していない基地局ＢＳのうちの１つを選択する。
【０１６４】
次のステップＳ８０５において、プロセッサ６００は、選択された基地局ＢＳへの信号の転送を命令する。この信号は、例として、ステップＳ８０２において行われた品質測定の報告を含むことができるＲＡＣＨメッセージである。
【０１６５】
ステップＳ８０６において、プロセッサ６００は、選択された基地局ＢＳが端末ＴＥのハンドリングを拒否していたか否かをチェックする。端末ＴＥは、基地局ＢＳから拒絶メッセージを受信することにより、又は、所定の時間期間内に端末ＴＥのハンドリングの受理を表すメッセージを受信しないことにより、その拒否の通知を受ける。
【０１６６】
選択された基地局ＢＳが、端末ＴＥのハンドリングを拒否していた場合、プロセッサ６００は、ステップＳ８０８に進む。拒否していなかった場合、基地局ＢＳは、ステップＳ８０７に進む。
【０１６７】
ステップＳ８０７において、プロセッサ６００は、選択された基地局ＢＳが端末ＴＥをハンドリングすることを登録し、本アルゴリズムを中断する。
【０１６８】
ステップＳ８０８において、プロセッサ６００は、選択された基地局ＢＳを、端末ＴＥをハンドリングすることができない基地局ＢＳとして識別し、到達不能な基地局ＢＳのリストにこの基地局ＢＳの識別子を記憶する。
【０１６９】
次のステップＳ８０９において、プロセッサ６００は、到達不能な基地局ＢＳのリストが、所定の継続時間の間にリセットされていたか否かをチェックする。すなわち、プロセッサ６００は、到達不能な基地局ＢＳのリストが、まだ有効であるとみなすことができるか否かをチェックする。
【０１７０】
到達不能な基地局ＢＳのリストが、まだ有効であるとみなすことができる場合、プロセッサ６００は、ステップＳ８０４に戻る。
【０１７１】
到達不能な基地局ＢＳのリストが、もはや有効であるとみなすことができない場合、プロセッサ６００は、ステップＳ８０１に戻る。
【０１７２】
このリストの有効性は、端末ＴＥの移動、端末ＴＥのロケーション情報、端末ＴＥの環境等に従って、変化する場合がある。
【０１７３】
リストの有効性が失効すると、到達不能な基地局ＢＳのリストにおける或る特定の基地局ＢＳの存在がもはや正当でない場合には、到達不能な基地局ＢＳのリスト全体をリセットする代わりに、基地局ＢＳ単位で到達不能な基地局ＢＳのリストをリセットすることができる。
【０１７４】
図８ｂは、本発明の第２の実現モードによる端末によって実行されるアルゴリズムの一例である。
【０１７５】
本アルゴリズムは、より正確には、無線セルラー電気通信ネットワークがセル同期されているとき又はセル同期されていないときに、各端末ＴＥのプロセッサ６００によって実行される。
【０１７６】
ステップＳ８２０において、プロセッサ６００は、端末ＴＥがアクティブであるか否かをチェックする。端末ＴＥは、電源が投入され且つアイドルモードにあるとき、又は、リモート電気通信デバイスと通信しているときアクティブである。
【０１７７】
端末ＴＥがアクティブでない場合、プロセッサ６００はステップＳ８２０に戻る。端末ＴＥがアクティブである場合、プロセッサ６００はステップＳ８２１に進む。
【０１７８】
ステップＳ８２１において、プロセッサ６００は、到達不能な基地局ＢＳのリストをリセットする。この到達不能な基地局ＢＳのリストは、端末ＴＥのハンドリングを拒絶した基地局ＢＳの識別子を含むことを目的としている。そのリストは、到達不能な基地局ＢＳのリストのリセットによって、空にされる。
【０１７９】
次のステップＳ８２２において、プロセッサ６００は、ダウンリンク信号に関するいくつかの品質測定を実行するようにチャネルインターフェース６０５に命令する。チャネルインターフェース６０５は、見つけることができる基地局ＢＳによって例えば各測定チャネルで転送された信号を測定し、品質測定値が所定の値よりも大きい基地局ＢＳを記憶する。
【０１８０】
次のステップＳ８２３において、プロセッサ６００は、ステップＳ８２２において受信されたダウンリンク信号に応答して信号の送信回数をリセットし、所定の値を有するタイマＤ３又は２つの値の間でランダムに選択されたタイマＤ３を始動する。
【０１８１】
次のステップＳ８２４において、プロセッサ６００は、品質測定値が所定の値よりも高く且つ到達不能な基地局ＢＳのリストに属していない基地局ＢＳのうちの１つを選択する。
【０１８２】
次のステップＳ８２５において、プロセッサ６００は、選択された基地局ＢＳへの信号の転送を命令する。この信号は、例として、ステップＳ８２２において行われた測定の報告を含むことができるＲＡＣＨメッセージである。
【０１８３】
ステップＳ８２６において、プロセッサ６００は、選択された基地局ＢＳが端末ＴＥのハンドリングを拒否していたか否かをチェックする。端末ＴＥは、所定の時間期間内に端末ＴＥのハンドリングの受理を表すメッセージを受信しないことにより、又は、その基地局ＢＳから別の基地局ＢＳへのハンドオーバに進む要求を受信することにより、その拒否の通知を受ける。
【０１８４】
選択された基地局ＢＳが、端末ＴＥのハンドリングを拒否していた場合、プロセッサ６００は、ステップＳ８２８に進む。拒否していなかった場合、基地局ＢＳは、ステップＳ８２７に進む。
【０１８５】
ステップＳ８２７において、プロセッサ６００は、選択された基地局ＢＳが端末ＴＥをハンドリングすることを登録し、本アルゴリズムを中断する。
【０１８６】
ステップＳ８２８において、プロセッサ６００は、継続時間Ｄ３が経過したか否かをチェックする。継続時間Ｄ３が経過していない限り、プロセッサ６００はステップＳ８２８に留まる。継続時間Ｄ３が経過した場合、プロセッサ６００はステップＳ８２９に進む。
【０１８７】
ステップＳ８２９において、プロセッサ６００は、試行回数が、Ｋで示される所定の値に等しいか否かをチェックする。
【０１８８】
試行回数がＫで示される所定の値に等しくない場合、プロセッサ６００は、ステップＳ８３０に進み、継続時間Ｄ３をアクティブにする。
【０１８９】
次のステップＳ８３１において、プロセッサ６００は、試行回数をインクリメントし、ステップＳ８２５に戻る。
【０１９０】
試行回数がＫで示される所定の値に等しい場合、プロセッサ６００はステップＳ８３２に進む。
【０１９１】
ステップＳ８３２において、プロセッサ６００は、選択された基地局ＢＳを、端末ＴＥをハンドリングすることができない基地局ＢＳとして識別し、到達不能な基地局ＢＳのリストにこの基地局ＢＳの識別子を記憶する。
【０１９２】
次のステップＳ８３３において、プロセッサ６００は、到達不能な基地局ＢＳのリストが、所定の継続時間の間にリセットされていたか否かをチェックする。すなわち、プロセッサ６００は、到達不能な基地局ＢＳのリストが、まだ有効であるとみなすことができるか否かをチェックする。
【０１９３】
到達不能な基地局ＢＳのリストがまだ有効であるとみなすことができる場合、プロセッサ６００はステップＳ８２２に戻る。
【０１９４】
到達不能な基地局ＢＳのリストが有効であるとみなすことができない場合、プロセッサ６００はステップＳ８２１に戻る。
【０１９５】
図８ｃは、本発明の第３の実現モードによる、端末によって実行されるアルゴリズムの一例である。
【０１９６】
本アルゴリズムは、より正確には、無線セルラー電気通信ネットワークがセル同期されているときに、各端末ＴＥのプロセッサ６００によって実行される。
【０１９７】
セル同期されたネットワークでは、端末ＴＥからの基地局ＢＳの距離に従って基地局ＢＳをランク付けするのに、基地局ＢＳによって転送されたダウンリンクメッセージの到着順序を使用することができる。
【０１９８】
基地局ＢＳから端末ＴＥによって受信される最初の信号は、その基地局ＢＳと端末ＴＥとが近いことを示す。
【０１９９】
基地局ＢＳから端末ＴＥによって受信される最後の信号は、その基地局ＢＳが端末ＴＥから遠いことを示す。
【０２００】
第３の実現モードは、その特性を有利に利用する。
【０２０１】
ステップＳ８４０において、プロセッサ６００は、端末ＴＥがアクティブであるか否かをチェックする。端末ＴＥは、電源が投入され且つアイドルモードにあるとき、又は、リモート電気通信デバイスと通信しているときアクティブである。
【０２０２】
端末ＴＥがアクティブでない場合、プロセッサ６００はステップＳ８４０に戻る。端末ＴＥがアクティブである場合、プロセッサ６００はステップＳ８４１に進む。
【０２０３】
ステップＳ８４１において、プロセッサ６００は、可能性のある基地局ＢＳのリストをリセットする。この可能性のある基地局ＢＳのリストは、端末ＴＥをハンドリングすることができる基地局ＢＳの識別子を含むことを目的としている。可能性のある基地局ＢＳのリストのリセットによって、周囲のすべての基地局ＢＳの識別子を有するリストが作成される。この周囲のすべての基地局ＢＳの識別子は、たとえば、候補の基地局ＢＳのアクティブなセットが利用可能であるか又は与えられている場合に、そのアクティブなセットから与えられる。
【０２０４】
次のステップＳ８４２において、プロセッサ６００は、ダウンリンク信号に関するいくつかの品質測定を実行するようにチャネルインターフェース６０５に命令する。チャネルインターフェース６０５は、見つけることができる基地局ＢＳによって例えば各測定チャネルで転送された信号を測定し、品質測定値が所定の値よりも大きい基地局ＢＳを維持する。
【０２０５】
次のステップＳ８４３において、プロセッサ６００は、可能性のある基地局ＢＳのリストにおいて、基地局ＢＳがそれぞれ転送した信号の受信時刻に従って最初の基地局ＢＳから最後の基地局ＢＳへ、保持された基地局ＢＳをランク付けする。
【０２０６】
次のステップＳ８４４において、プロセッサ６００は、可能性のある基地局ＢＳのリストにある基地局ＢＳのうちの１つを選択する。
【０２０７】
次のステップＳ８４５において、プロセッサ６００は、選択された基地局ＢＳへの信号の転送を命令する。この信号は、例として、ステップＳ８４２において行われた品質測定の報告を含むことができるＲＡＣＨメッセージである。
【０２０８】
ステップＳ８４６において、プロセッサ６００は、選択された基地局ＢＳが端末ＴＥのハンドリングを拒否していたか否かをチェックする。端末ＴＥは、基地局ＢＳから拒絶メッセージを受信することにより、又は、所定の時間期間内に端末ＴＥのハンドリングの受理を表すメッセージを受信しないことにより、又は、その基地局ＢＳから別の基地局ＢＳへのハンドオーバに進む要求を受信することにより、その拒否の通知を受ける。
【０２０９】
選択された基地局ＢＳが端末ＴＥのハンドリングを拒否していた場合、プロセッサ６００はステップＳ８４８に進む。拒否していなかった場合、基地局ＢＳはステップＳ８４７に進む。
【０２１０】
ステップＳ８４７において、プロセッサ６００は、選択された基地局ＢＳが端末ＴＥをハンドリングすることを登録し、本アルゴリズムを中断する。
【０２１１】
ステップＳ８４８において、プロセッサ６００は、選択された基地局ＢＳを、端末ＴＥをハンドリングすることができない基地局ＢＳとして識別し、この基地局ＢＳの識別子を、可能性のある基地局ＢＳのリストから削除する。
【０２１２】
同じステップにおいて、プロセッサ６００は、選択された基地局ＢＳよりも低いランクを有する各基地局ＢＳ、すなわち、選択された基地局ＢＳよりも高い受信時刻(higher time of reception)で受信された各基地局ＢＳを、端末ＴＥをハンドリングすることができない基地局ＢＳとして識別する。この各基地局ＢＳのセルは、選択された基地局ＢＳのセルのアイドル期間の継続時間と同じか又はそれよりも小さい継続時間を有するアイドル期間を有する。プロセッサ６００は、選択された基地局ＢＳよりも低いランクを有する各基地局ＢＳの識別子を、可能性のある基地局ＢＳのリストから削除する。
【０２１３】
次のステップＳ８４９において、プロセッサ６００は、可能性のある基地局ＢＳのリストに、いくつかの基地局ＢＳが残っているか否かをチェックする。
【０２１４】
可能性のある基地局ＢＳのリストにいくつかの基地局ＢＳが残っている場合、プロセッサ６００はステップＳ８４４に戻る。残っていない場合、プロセッサ６００はステップＳ８４１に戻る。
【０２１５】
図８ｄは、本発明の第４の実現モードによる、端末によって実行されるアルゴリズムの一例である。
【０２１６】
本アルゴリズムは、より正確には、無線セルラー電気通信ネットワークがセル同期されているときに、各端末ＴＥのプロセッサ６００によって実行される。
【０２１７】
セル同期されたネットワークでは、端末ＴＥからの基地局ＢＳの距離に従って基地局ＢＳをランク付けするのに、基地局ＢＳによって転送されたダウンリンクメッセージの到着順序を使用することができる。
【０２１８】
第４の実現モードは、その特性を有利に利用する。
【０２１９】
ステップＳ８６０において、プロセッサ６００は、端末ＴＥがアクティブであるか否かをチェックする。端末ＴＥは、電源が投入され且つアイドルモードにあるとき、又は、リモート電気通信デバイスと通信しているときアクティブである。
【０２２０】
端末ＴＥがアクティブでない場合、プロセッサ６００はステップＳ８６０に戻る。端末ＴＥがアクティブである場合、プロセッサ６００はステップＳ８６１に進む。
【０２２１】
ステップＳ８６１において、プロセッサ６００は、可能性のある基地局ＢＳのリストをリセットする。この可能性のある基地局ＢＳのリストは、端末ＴＥをハンドリングすることができる基地局ＢＳの識別子を含むことを目的としている。
【０２２２】
次のステップＳ８６２において、プロセッサ６００は、ダウンリンク信号に関するいくつかの品質測定を実行するようにチャネルインターフェース６０５に命令する。チャネルインターフェース６０５は、見つけることができる基地局ＢＳによって例えば各測定チャネルで転送された信号を測定する。
【０２２３】
次のステップＳ８６３において、プロセッサ６００は、可能性のある基地局ＢＳのリストにおいて、基地局ＢＳがそれぞれ転送した信号の受信時刻に従って最初の基地局ＢＳから最後の基地局ＢＳへ、保持された基地局ＢＳをランク付けする。
【０２２４】
次のステップＳ８６４において、プロセッサ６００は、ステップＳ８６２において受信されたダウンリンク信号に応答して信号の送信回数をリセットし、図８ｂのステップＳ８２３において開示したものと同様にタイマＤ３を始動する。
【０２２５】
次のステップＳ８６５において、プロセッサ６００は、可能性のある基地局ＢＳのリストにある基地局ＢＳのうちの１つを選択する。
【０２２６】
次のステップＳ８６６において、プロセッサ６００は、選択された基地局ＢＳへの信号の転送を命令する。この信号は、例として、ステップＳ８６２において行われた品質測定の報告を含むことができるＲＡＣＨメッセージである。
【０２２７】
ステップＳ８６７において、プロセッサ６００は、選択された基地局ＢＳが端末ＴＥのハンドリングを拒否していたか否かをチェックする。端末ＴＥは、所定の時間期間内に端末ＴＥのハンドリングの受理を表すメッセージを受信しないことによりその拒否の通知を受ける。
【０２２８】
選択された基地局ＢＳが端末ＴＥのハンドリングを拒否していた場合、プロセッサ６００はステップＳ８６９に進む。拒否していなかった場合、基地局ＢＳはステップＳ８６８に進む。
【０２２９】
ステップＳ８６８において、プロセッサ６００は、選択された基地局ＢＳが端末ＴＥをハンドリングすることを登録し、本アルゴリズムを中断する。
【０２３０】
ステップＳ８６９において、プロセッサ６００は継続時間Ｄ３が経過したか否かをチェックする。継続時間Ｄ３が経過していない限り、プロセッサ６００は、ステップＳ８６９に留まる。継続時間Ｄ３が経過した場合、プロセッサ６００はステップＳ８７０に進む。
【０２３１】
ステップＳ８７０において、プロセッサ６００は、試行回数が、Ｋで示される所定の値に等しいか否かをチェックする。
【０２３２】
試行回数が、Ｋで示される所定の値に等しくない場合、プロセッサ６００は、ステップＳ８７１に進み、継続時間Ｄ３をアクティブにする。
【０２３３】
次のステップＳ８７２において、プロセッサ６００は、試行回数をインクリメントし、ステップＳ８６６に戻る。
【０２３４】
試行回数が、Ｋで示される所定の値に等しい場合、プロセッサ６００は、ステップＳ８７３に進む。
【０２３５】
ステップＳ８７３において、プロセッサ６００は、選択された基地局ＢＳを、端末ＴＥをハンドリングすることができない基地局ＢＳとして識別し、この基地局ＢＳの識別子を、可能性のある基地局ＢＳのリストから削除する。
【０２３６】
同じステップにおいて、プロセッサ６００は、選択された基地局ＢＳよりも低いランクを有する各基地局ＢＳを、端末ＴＥをハンドリングすることができない基地局ＢＳとして識別する。この各基地局ＢＳのセルは、選択された基地局ＢＳのセルのアイドル期間の継続時間と同じか又はそれよりも小さい継続時間を有するアイドル期間を有する。プロセッサ６００は、選択された基地局ＢＳよりも低いランクを有する各基地局ＢＳの識別子を、可能性のある基地局ＢＳのリストから削除する。
【０２３７】
次のステップＳ８７４において、プロセッサ６００は、可能性のある基地局ＢＳのリストにいくつかの基地局ＢＳが残っているか否かをチェックする。
【０２３８】
可能性のある基地局ＢＳのリストにいくつかの基地局ＢＳが残っている場合、プロセッサ６００は、ステップＳ８６４に戻る。残っていない場合、プロセッサ６００は、ステップＳ８６１に戻る。
【０２３９】
当然のことながら、本発明の範囲から逸脱することなく、上述した本発明の実施形態に多くの変更を行うことができる。
【図１】
0005351544.tif 000002
【図２ａ】
0005351544.tif 000003
【図２ｂ】
0005351544.tif 000004
【図３】
0005351544.tif 000005
【図４】
0005351544.tif 000006
【図５】
0005351544.tif 000007
【図６】
0005351544.tif 000008
【図７】
0005351544.tif 000009
【図８ａ】
0005351544.tif 000010
【図８ｂ】
0005351544.tif 000011
【図８ｃ】
0005351544.tif 000012
【図８ｄ】
0005351544.tif 000013